(57)【要約】【課題】特に開き戸や折戸に適し、目立たなく設置したい場合にも対応可能な戸体移動装置の提供。【解決手段】戸体１１に、アーム２１、付勢手段、緩衝手段を備えた装置本体２ａが設けられ、戸枠１２に、アーム２１の固定部２１ｂを不動とでき、半開状態から、閉鎖状態あるいは全開状態に至る戸体１１の移動方向を基準とした前方側に位置する第１当接部２５１と、同後方側に位置する第２当接部２５２とを備えた一時固定手段２５が設けられ、第１当接部２５１と第２当接部２５２との間にアーム２１の固定部２１ｂを配位可能なアーム固定溝２５ｃを備え、このアーム固定溝２５ｃの少なくとも一部が、戸枠１２の内周端面１２ｂよりも外側に設けられ、戸体１１の自動移動動作が行われる際、上記のアーム固定溝２５ｃに上記の固定部２１ｂが保持され、その状態で付勢手段の付勢を受けてアーム２１が回動し、これにより戸体１１が移動する。【選択図】図９
2007285117.tif 000002
【特許請求の範囲】
【請求項１】
戸枠（１２）の内側に配位された戸体（１１）を、戸体（１１）が半開状態から、閉鎖状態あるいは全開状態となるまでの間を自動的に移動可能とされた戸体移動装置において、
戸体（１１）には装置本体（２ａ）が設けられており、
戸枠（１２）には一時固定手段（２５）が設けられており、
上記の装置本体（２ａ）には、戸体（１１）の上記自動移動動作が開始する前における半開状態に対応する待機位置（Ｗ）と、戸体（１１）の閉鎖状態あるいは全開状態に対応する停止位置（Ｓ）との間の範囲内において、回動軸（２１ａ）を中心として回動可能なアーム（２１）と、
上記の待機位置（Ｗ）から停止位置（Ｓ）へアーム（２１）が回動するように、アーム（２１）を付勢するための付勢手段（２３）と、
アーム（２１）が待機位置（Ｗ）から停止位置（Ｓ）へと回動する際において、このアーム（２１）の回動動作を減速させるための緩衝手段（２４）とが設けられ、
上記の一時固定手段（２５）は、半開状態から、閉鎖状態あるいは全開状態に至る戸体（１１）の移動方向を基準とした前方側に位置する第１当接部（２５１）と、同後方側に位置する第２当接部（２５２）とを備え、
上記第１当接部（２５１）は、戸体（１１）の閉鎖あるいは開放動作に伴いアーム（２１）の一部である固定部（２１ｂ）が衝突することにより、アーム（２１）の待機位置（Ｗ）から停止位置（Ｓ）への回動を開始させるための部分であり、
上記第２当接部（２５２）は、上記アーム（２１）の待機位置（Ｗ）から停止位置（Ｓ）への回動の際に、アーム（２１）の固定部（２１ｂ）を戸体（１１）の移動方向について不動とするように保持するものであって、
かつ、閉鎖状態あるいは全開状態にある戸体（１１）を半開状態へと移動させる際に、アーム（２１）の固定部（２１ｂ）が当接し、アーム（２１）を停止位置（Ｓ）から待機位置（Ｗ）へ回動させるための部分であり、
上記の第１当接部（２５１）と第２当接部（２５２）との間には、アーム（２１）の固定部（２１ｂ）を配位可能な空間を有するアーム固定溝（２５ｃ）を備え、
このアーム固定溝（２５ｃ）の少なくとも一部が、戸枠（１２）の内周端面（１２ｂ）よりも外側に設けられており、
戸体（１１）の自動移動動作が行われる際においては、一時固定手段（２５）の上記アーム固定溝（２５ｃ）に上記の固定部（２１ｂ）が保持され、その状態で付勢手段（２３）の付勢を受けてアーム（２１）が回動し、これにより戸体（１１）が移動することを特徴とする戸体移動装置。
【請求項２】
アーム（２１）が停止位置（Ｓ）から待機位置（Ｗ）へと回動させられた際、上記第２当接部（２５２）との当接によってアーム（２１）が回動させられた位置である中途位置が、待機位置（Ｗ）に一致しない場合に、
アーム（２１）を上記中途位置から待機位置（Ｗ）へと回動させるためのアーム位置保持手段（２７）が設けられたことを特徴とする、請求項１に記載の戸体移動装置。
【請求項３】
ヒンジを中心として戸体（１１）が回動可能とされた開き戸に適用されるものであり、
上記第１当接部（２５１）の、半開状態から、閉鎖状態あるいは全開状態に至る戸体（１１）の移動方向を基準とした後方側の側面（２５ａ）の一部であって、自動移動動作中において上記固定部（２１ｂ）が最も早く衝突する面（２５ａ１）が、
上記の閉鎖状態あるいは全開状態における戸体（１１）の表面（１１ａ）に対して角度を有する面とされたことを特徴とする、請求項１または２に記載の戸体移動装置。
【請求項４】
アーム（２１）の待機位置（Ｗ）において戸体（１１）から突出した部分、及び一時固定手段（２５）が、戸枠（１２）に設けられた戸当たり部材（１２ａ）の内側端よりも外側に配位されたことを特徴とする、請求項３に記載の戸体移動装置。
【請求項５】
戸枠（１２）の内側に配位された戸体（１１）を、戸体（１１）が半開状態から、閉鎖状態あるいは全開状態となるまでの間を自動的に移動可能とされた戸体移動装置において、
戸体（１１）には装置本体（２ａ）が設けられており、
上記の装置本体（２ａ）には、戸体（１１）の上記自動移動動作が開始する前における半開状態に対応する待機位置（Ｗ）と、戸体（１１）の閉鎖状態あるいは全開状態に対応する停止位置（Ｓ）との間の範囲内において、回動軸（２１ａ）を中心として回動可能なアーム（２１）と、
上記の待機位置（Ｗ）から停止位置（Ｓ）へアーム（２１）が回動するように、アーム（２１）を付勢するための付勢手段（２３）と、
アーム（２１）が待機位置（Ｗ）から停止位置（Ｓ）へと回動する際において、このアーム（２１）の回動動作を減速させるための緩衝手段（２４）とが設けられ、
アーム（２１）は、戸枠（１２）の一部に対して係合することにより一部が不動の状態とされ、この状態で上記付勢手段（２３）の付勢により回動することで、戸体（１１）を停止位置（Ｓ）へ移動させることができるものであり、
このアーム（２１）は待機位置（Ｗ）にある場合、戸体（１１）の外周端面（１１ｂ）よりも内側に存在しており、停止位置（Ｓ）にある場合、上記外周端面（１１ｂ）よりも外側に突出するものであることを特徴とする戸体移動装置。
【請求項６】
１枚の戸体（１１）に２つの戸体移動装置が用いられたものであって、
各戸体移動装置は、装置本体（２ａ）が戸体（１１）の上部に設けられたものとされ、
各戸体移動装置のアーム（２１）が、待機位置（Ｗ）にある場合では戸体（１１）の上端面（１１ｂ）よりも下側に存在しており、待機位置（Ｗ）から停止位置（Ｓ）へと回動するに伴い、上記固定部（２１ｂ）が戸体（１１）の上端面（１１ｂ）よりも上側に突出するものであって、
各戸体移動装置のうち一方の戸体移動装置は、半開状態から閉鎖状態までの間に存在する戸体（１１）を自動的に移動させるために作動するものであり、
同他方の戸体移動装置は、半開状態から全開状態までの間に存在する戸体（１１）を自動的に移動させるために作動するものであることを特徴とする、請求項１〜５のいずれかに記載の戸体移動装置。
【請求項７】
折戸に適用されるものであって、
この折戸は、戸体（１１）が、折戸ヒンジ（１１２）により接続された偶数枚の折戸体（１１１ａ〜１１１ａ）が左右方向に並列して構成されたものであり、
上記戸体（１１）は、少なくとも１組の開閉単位体（１１１）を備え、
上記開閉単位体（１１１）は、２枚の上記折戸体（１１１ａ，１１１ａ）から構成されており、
戸体（１１）の開閉動作の際、上記開閉単位体（１１１）の左右両端部（１１１ｂ）のうち少なくとも一方が、戸枠（１２）に沿って左右方向へと移動し、上記開閉単位体（１１１）中の２枚の折戸体（１１１ａ，１１１ａ）を接続する折戸ヒンジ（１１２）が少なくとも、戸枠（１２）の延びる方向に直交する方向へと移動するものであり、
上記装置本体（２ａ）は、戸体（１１）中の少なくとも１枚の折戸体（１１１ａ）に設けられており、
上記一時固定手段（２５）の第１当接部（２５１）及び第２当接部（２５２）が、少なくとも、戸体（１１）の開閉動作の際にアーム（２１）の固定部（２１ｂ）が左右方向に移動する範囲に渡って設けられたことを特徴とする、請求項１，２，５，６のいずれかに記載の戸体移動装置。
【請求項８】
上記一時固定手段（２５）が上記戸枠（１２）に対し、左右方向寸法が一致するように一体に設けられ、
この一時固定手段（２５）が上記戸枠（１２）の前方に設けられたものであって、
上記第２当接部（２５２）の内側端部（２５２ａ）が戸枠（１２）の内周端面（１２ｂ）よりも内側寄りに存在し、
上記第２当接部（２５２）の内側端部（２５２ａ）と上記設置面（１２ｂ）との間に導入斜面（２５ｄ）が設けられており、
上記導入斜面（２５ｄ）は、上記アーム（２１）の固定部（２１ｂ）を、当接させつつ上記アーム固定溝（２５ｃ）へ導くものであることを特徴とする、請求項７に記載の戸体移動装置。
【発明の詳細な説明】
【技術分野】
【０００１】
本願発明は、戸体を自動的に閉鎖あるいは開放するための戸体移動装置に関するものである。
【背景技術】
【０００２】
【特許文献１】特公昭６１−１０６３１号公報
【特許文献２】特開２００２−８１２６１号公報
【特許文献３】特開２００４−１０８０８７号公報
【０００３】
従来から、戸体を閉鎖する際に戸体に加えた力が大きすぎた場合、戸枠に対して戸体が衝突して衝撃音が発生したり、あるいは戸体がバウンドしてしまい完全に閉鎖できないことがあった。逆に戸体に加えた力が小さすぎた場合、途中で止まってしまい閉鎖できないことがあった。
【０００４】
ここで、戸体を完全に閉鎖するために、ばねなどの付勢手段を備えた閉鎖装置が用いられることがある。また、強すぎる力を緩和して緩やかに扉を閉じるようにした緩衝装置が設けられることがある。この緩衝装置は、衝撃を緩和するためのダンパーやばねを戸体や戸枠に取り付けたものである。
【発明の開示】
【発明が解決しようとする課題】
【０００５】
ところが、従来の閉鎖装置にあっては、戸体が全開状態から閉鎖状態となるまでの全過程において、戸体を閉鎖方向に付勢しており、この付勢が人による戸体の閉鎖の動きを妨げる結果を招いていた。また、従来の緩衝装置にあっては、戸体を閉鎖するために戸体に加えられる力が弱い場合、ばねの付勢力や、ダンパーやエアシリンダの作動抵抗によって、戸体が途中で止まってしまい、完全に閉鎖できないことがあった。
【０００６】
ここで、従来の閉鎖装置の一例として、特許文献１に記載の発明である「自動閉扉装置」が存在する。これは、扉枠に設けた金具に対して、扉に設けたＬ形レバーが保持されることにより自動的に扉を閉鎖できるものである。このＬ形レバーは、扉に対して回動可能に設けられており、ばねを内蔵した油圧シリンダーであるダッシュポットに接続されていることにより、Ｌ形レバーを減速しつつ回動させることができる。
【０００７】
ところが、この発明に係る閉鎖装置は、ダッシュポットの軸線とＬ形レバーの回動中心との位置関係を途中で転換させ、Ｌ形レバーに対するダッシュポットの引っ張り方向を切り替えることによって、Ｌ形レバーを扉の開放状態と閉鎖状態とに対応した位置にそれぞれ固定させるものであるため、機構が複雑となることや、確実に動作させるために、高い工作精度が要求されるという問題があった。また、ダッシュポットとは、ばねを内蔵した油圧シリンダーであり、この閉鎖装置の専用品として設計する必要があるという問題も有する。これらのことから、この特許文献１に記載の閉鎖装置の構造では製造コストを低減することが困難であった。
【０００８】
一方、ヒンジにより戸体が回動可能に支持された開き戸にあっては、特許文献２に記載の発明である「ドアクローザ」のように、戸体の外側に設けるタイプのものが良く知られている。しかし、このようなタイプのものは戸体の外側に露出した状態となるために見栄えが悪くなる可能性があり、一般家庭などの室内用開き戸に適用する場合などで、目立たないように装置を設置したい場合には適していなかった。
【０００９】
また、本願の出願人による特許文献３に係る発明は、主に引戸に用いられる閉鎖装置であって、開き戸や折戸に対してはそのまま適応させることのできないものであった。例えば開き戸においては、ヒンジを中心として戸体が回動するものであるため、閉鎖機構やその受け材が戸体の移動に伴い、弧を描くように移動するものである。よって、引戸用の装置をそのまま使用すると、部材が片減りするなどして各所に無理を生じてしまう可能性がある。また、この閉鎖装置の構造では、戸体の移動方向に関する寸法をコンパクトにすることが難しく、開き戸や折戸の戸体に内蔵して使用することが不可能であった。
【００１０】
上記のことに鑑み本願発明は、戸体が半開状態にある場合には、閉鎖状態あるいは全開状態まで移動させることができ、それ以外の開放状態では戸体を自由状態にしておくことができる戸体移動装置を提供することを課題とする。
また、戸体に加えられた外力が弱い場合であっても、戸体を閉鎖あるいは全開することができ、逆に外力が強い場合には、緩衝作用を発揮して緩やかに移動させることができる戸体移動装置を提供することを課題とする。
また、簡易な構造とすることが可能であり、これにより製造コストの低減に貢献できる戸体移動装置を提供することを課題とする。
また、特に開き戸や折戸に適したものであって、一般家庭などの室内用開き戸に適用する場合など、目立たないように装置を設置したい場合にも対応可能な戸体移動装置を提供することを課題とする。
【課題を解決するための手段】
【００１１】
上記課題を解決するために、本願の請求項１に記載の発明は、戸枠１２の内側に配位された戸体１１を、戸体１１が半開状態から、閉鎖状態あるいは全開状態となるまでの間を自動的に移動可能とされた戸体移動装置において、戸体１１には装置本体２ａが設けられており、戸枠１２には一時固定手段２５が設けられており、上記の装置本体２ａには、戸体１１の上記自動移動動作が開始する前における半開状態に対応する待機位置Ｗと、戸体１１の閉鎖状態あるいは全開状態に対応する停止位置Ｓとの間の範囲内において、回動軸２１ａを中心として回動可能なアーム２１と、上記の待機位置Ｗから停止位置Ｓへアーム２１が回動するように、アーム２１を付勢するための付勢手段２３と、アーム２１が待機位置Ｗから停止位置Ｓへと回動する際において、このアーム２１の回動動作を減速させるための緩衝手段２４とが設けられ、上記の一時固定手段２５は、半開状態から、閉鎖状態あるいは全開状態に至る戸体１１の移動方向を基準とした前方側に位置する第１当接部２５１と、同後方側に位置する第２当接部２５２とを備え、上記第１当接部２５１は、戸体１１の閉鎖あるいは開放動作に伴いアーム２１の一部である固定部２１ｂが衝突することにより、アーム２１の待機位置Ｗから停止位置Ｓへの回動を開始させるための部分であり、上記第２当接部２５２は、上記アーム２１の待機位置Ｗから停止位置Ｓへの回動の際に、アーム２１の固定部２１ｂを戸体１１の移動方向について不動とするように保持するものであって、かつ、閉鎖状態あるいは全開状態にある戸体１１を半開状態へと移動させる際に、アーム２１の固定部２１ｂが当接し、アーム２１を停止位置Ｓから待機位置Ｗへ回動させるための部分であり、上記の第１当接部２５１と第２当接部２５２との間には、アーム２１の固定部２１ｂを配位可能な空間を有するアーム固定溝２５ｃを備え、このアーム固定溝２５ｃの少なくとも一部が、戸枠１２の内周端面１２ｂよりも外側に設けられており、戸体１１の自動移動動作が行われる際においては、一時固定手段２５の上記アーム固定溝２５ｃに上記の固定部２１ｂが保持され、その状態で付勢手段２３の付勢を受けてアーム２１が回動し、これにより戸体１１が移動することを特徴とする戸体移動装置を提供する。
【００１２】
なお、上記の「内側」とは、戸体１１及び戸枠１２を正面あるいは背面側から見た場合において、戸体１１の中央を基準として近い側を言い、「外側」とは戸体１１の中央を基準として遠い側を言う。
【００１３】
また、本願における戸枠１２は、可動の戸体１１に対して固定された部材という程度の意味合いである。つまり、図３に示す戸枠１２のような、建物と一体とされたものに限らず、図１４に示す戸枠１２のような、単なるレール状の部材をも含む。
【００１４】
また、本願の請求項２に記載の発明は、アーム２１が停止位置Ｓから待機位置Ｗへと回動させられた際、上記第２当接部２５２との当接によってアーム２１が回動させられた位置である中途位置が、待機位置Ｗに一致しない場合に、アーム２１を上記中途位置から待機位置Ｗへと回動させるためのアーム位置保持手段２７が設けられたことを特徴とする、請求項１に記載の戸体移動装置を提供する。
【００１５】
また、本願の請求項３に記載の発明は、ヒンジを中心として戸体１１が回動可能とされた開き戸に適用されるものであり、上記第１当接部２５１の、半開状態から、閉鎖状態あるいは全開状態に至る戸体１１の移動方向を基準とした後方側の側面２５ａの一部であって、自動移動動作中において上記固定部２１ｂが最も早く衝突する面２５ａ１が、上記の閉鎖状態あるいは全開状態における戸体１１の表面１１ａに対して角度を有する面とされたことを特徴とする、請求項１または２に記載の戸体移動装置を提供する。
【００１６】
また、本願の請求項４に記載の発明は、アーム２１の待機位置Ｗにおいて戸体１１から突出した部分、及び一時固定手段２５が、戸枠１２に設けられた戸当たり部材１２ａの内側端よりも外側に配位されたことを特徴とする、請求項３に記載の戸体移動装置を提供する。
【００１７】
また、本願の請求項５に記載の発明は、戸枠１２の内側に配位された戸体１１を、戸体１１が半開状態から、閉鎖状態あるいは全開状態となるまでの間を自動的に移動可能とされた戸体移動装置において、戸体１１には装置本体２ａが設けられており、上記の装置本体２ａには、戸体１１の上記自動移動動作が開始する前における半開状態に対応する待機位置Ｗと、戸体１１の閉鎖状態あるいは全開状態に対応する停止位置Ｓとの間の範囲内において、回動軸２１ａを中心として回動可能なアーム２１と、上記の待機位置Ｗから停止位置Ｓへアーム２１が回動するように、アーム２１を付勢するための付勢手段２３と、アーム２１が待機位置Ｗから停止位置Ｓへと回動する際において、このアーム２１の回動動作を減速させるための緩衝手段２４とが設けられ、アーム２１は、戸枠１２の一部に対して係合することにより一部が不動の状態とされ、この状態で上記付勢手段２３の付勢により回動することで、戸体１１を停止位置Ｓへ移動させることができるものであり、このアーム２１は待機位置Ｗにある場合、戸体１１の外周端面１１ｂよりも内側に存在しており、停止位置Ｓにある場合、上記外周端面１１ｂよりも外側に突出するものであることを特徴とする戸体移動装置を提供する。
【００１８】
また、本願の請求項６に記載の発明は、１枚の戸体１１に２つの戸体移動装置が用いられたものであって、各戸体移動装置は、装置本体２ａが戸体１１の上部に設けられたものとされ、各戸体移動装置のアーム２１が、待機位置Ｗにある場合では戸体１１の上端面１１ｂよりも下側に存在しており、待機位置Ｗから停止位置Ｓへと回動するに伴い、上記固定部２１ｂが戸体１１の上端面１１ｂよりも上側に突出するものであって、各戸体移動装置のうち一方の戸体移動装置は、半開状態から閉鎖状態までの間に存在する戸体１１を自動的に移動させるために作動するものであり、同他方の戸体移動装置は、半開状態から全開状態までの間に存在する戸体１１を自動的に移動させるために作動するものであることを特徴とする、請求項１〜５のいずれかに記載の戸体移動装置を提供する。
【００１９】
また、本願の請求項７に記載の発明は、折戸に適用されるものであって、この折戸は、戸体１１が、折戸ヒンジ１１２により接続された偶数枚の折戸体１１１ａ〜１１１ａが左右方向に並列して構成されたものであり、上記戸体１１は、少なくとも１組の開閉単位体１１１を備え、上記開閉単位体１１１は、２枚の上記折戸体１１１ａ，１１１ａから構成されており、戸体１１の開閉動作の際、上記開閉単位体１１１の左右両端部１１１ｂのうち少なくとも一方が、戸枠１２に沿って左右方向へと移動し、上記開閉単位体１１１中の２枚の折戸体１１１ａ，１１１ａを接続する折戸ヒンジ１１２が少なくとも、戸枠１２の延びる方向に直交する方向へと移動するものであり、上記装置本体２ａは、戸体１１中の少なくとも１枚の折戸体１１１ａに設けられており、上記一時固定手段２５の第１当接部２５１及び第２当接部２５２が、少なくとも、戸体１１の開閉動作の際にアーム２１の固定部２１ｂが左右方向に移動する範囲に渡って設けられたことを特徴とする、請求項１，２，５，６のいずれかに記載の戸体移動装置を提供する。
【００２０】
また、本願の請求項８に記載の発明は、上記一時固定手段２５が上記戸枠１２に対し、左右方向寸法が一致するように一体に設けられ、この一時固定手段２５が上記戸枠１２の前方に設けられたものであって、上記第２当接部２５２の内側端部２５２ａが戸枠１２の内周端面１２ｂよりも内側寄りに存在し、上記第２当接部２５２の内側端部２５２ａと上記設置面１２ｂとの間に導入斜面２５ｄが設けられており、上記導入斜面２５ｄは、上記アーム２１の固定部２１ｂを、当接させつつ上記アーム固定溝２５ｃへ導くものであることを特徴とする、請求項７に記載の戸体移動装置を提供する。
【発明の効果】
【００２１】
本願の請求項１に記載の発明は、戸体１１が半開状態にある場合には、閉鎖状態あるいは全開状態まで移動させることができ、それ以外の開放状態では戸体１１を自由状態にしておくことができるものであり、戸体１１に加えられた外力が弱い場合であっても、戸体１１を閉鎖あるいは全開することができ、逆に外力が強い場合には、緩衝作用を発揮して緩やかに移動させることができる戸体移動装置を提供することができたものである。
また、アーム固定溝２５ｃの少なくとも一部が、戸枠１２の内周端面１２ｂよりも外側に設けられたことから、戸体移動装置の大部分を見えないようにでき、特に開き戸に適したものであって、特に一般家庭などの室内用開き戸に適用する場合などで、目立たないように装置を設置したいという要求にも十分に応えることができる戸体移動装置を提供することができたものである。
また、付勢手段２３や緩衝手段２４として汎用品を利用した場合においては、簡易な構造とできるため、製造コストの低減に貢献できる戸体移動装置を提供することができたものである。
【００２２】
本願の請求項２に記載の発明は、請求項１に記載の発明の効果に加え、アーム２１を上記中途位置から待機位置Ｗへと回動させるためのアーム位置保持手段２７が設けられたことから、建て付けの関係で戸体１１と戸枠１２の間が離れて設けられた場合であっても、アーム位置保持手段２７によりアーム２１を待機位置Ｗへ確実に復帰させることができる戸体移動装置を提供することができたものである。
【００２３】
本願の請求項３に記載の発明は、請求項１または２に記載の発明の効果に加え、一時固定手段２５における第１当接部２５１の、半開状態から、閉鎖状態あるいは全開状態に至る戸体１１の移動方向を基準とした後方側の側面２５ａの一部であって、自動移動動作中において上記固定部２１ｂが最も早く衝突する面２５ａ１が、上記の閉鎖状態あるいは全開状態における戸体１１の表面１１ａに対して角度を有する面とされたことから、アーム２１の固定部２１ｂや一時固定手段２５の左方壁２５ａが片減りするなどの問題が発生する恐れがなく、開き戸に特に適した戸体移動装置を提供することができたものである。
【００２４】
本願の請求項４に記載の発明は、請求項３に記載の発明の効果に加え、アーム２１の待機位置Ｗにおいて戸体１１から突出した部分、及び一時固定手段２５が、戸枠１２に設けられた戸当たり部材１２ａの内側端よりも外側に配位されたことから、戸体移動装置の大部分を戸当たり部材１２ａに隠れるようにでき、しかも閉鎖時には全く見えないようにできる。よって、特に一般家庭などの室内用開き戸に適用する場合などで、目立たないように装置を設置したいという要求にも十分に応えることができる戸体移動装置を提供することができたものである。
【００２５】
本願の請求項５に記載の発明は、戸体１１が半開状態にある場合には、閉鎖状態あるいは全開状態まで移動させることができ、それ以外の位置では戸体１１を自由状態にしておくことができるものであり、戸体１１に加えられた外力が弱い場合であっても、戸体１１を閉鎖あるいは全開することができ、逆に外力が強い場合には、緩衝作用を発揮して緩やかに移動させることができる戸体移動装置を提供することができたものである。
また、アーム２１が待機位置Ｗにある場合、戸体１１の外周端面１１ｂよりも内側に存在しており、停止位置Ｓにある場合、上記外周端面１１ｂよりも外側に突出するものとされたことにより、戸体移動装置の大部分を見えないようにでき、特に開き戸に適したものであって、特に一般家庭などの室内用開き戸に適用する場合などで、目立たないように装置を設置したいという要求にも十分に応えることができる戸体移動装置を提供することができたものである。
なお、付勢手段２３や緩衝手段２４として汎用品を利用した場合においては、簡易な構造とできるため、製造コストの低減に貢献できる戸体移動装置を提供することができたものである。
【００２６】
本願の請求項６に記載の発明は、請求項１〜５のいずれかに記載の発明の効果に加え、１枚の戸体１１に２つの戸体移動装置が用いられたことから、戸体１１が半開状態から閉鎖状態となるまで、そして半開状態から全開状態となるまでの各区間を自動的に移動させることができる戸体移動装置を提供することができたものである。
【００２７】
本願の請求項７に記載の発明は、折戸においても、戸体１１が半開状態にある場合には、閉鎖状態あるいは全開状態まで移動させることができ、それ以外の開放状態では戸体１１を自由状態にしておくことができるものであり、戸体１１に加えられた外力が弱い場合であっても、戸体１１を閉鎖あるいは全開することができ、逆に外力が強い場合には、緩衝作用を発揮して緩やかに移動させることができる戸体移動装置を提供することができたものである。
また、付勢手段２３や緩衝手段２４として汎用品を利用した場合においては、簡易な構造とできるため、製造コストの低減に貢献できる戸体移動装置を提供することができたものである。
【００２８】
本願の請求項８に記載の発明は、第２当接部２５２の内側端部２５２ａと上記設置面１２ｂとの間に導入斜面２５ｄが設けられたことから、戸枠１２と戸体１１の位置ずれに伴う、一時固定手段２５とアーム２１の固定部２１ｂの内外方向のずれを吸収することができる、戸体移動装置を提供することができたものである。
【発明を実施するための最良の形態】
【００２９】
以下、図面に基づき本願発明の一実施例をとりあげて説明する。図１は本例の戸体移動装置の装置本体の外観を示す図であり、図２は同装置本体の内部構造及び動作を示す図であり、図３及び図４は本例の戸体移動装置を開き戸に取り付けた場合の自動閉鎖動作を順を追って示した図であり、図５は本例の一時固定手段を示す図であり、図６は戸体及び戸枠と装置本体との関係を示す図である。図１３は戸体移動装置を折戸に取り付けた場合を示す図であり、図１４及び図１５は本例の戸体移動装置を折戸に取り付けた場合の自動閉鎖動作を順を追って示した図である。
【００３０】
まず、ヒンジを中心として戸体１１が回動可能とされた開き戸であって、この開き戸の戸枠１２の内側に配位された戸体１１が、半開状態から閉鎖状態へと自動的に移動するように戸体移動装置が設けられた場合について説明する。ここで「閉鎖状態」とは、戸体１１が完全に閉鎖された状態、「全開状態」（後述）とは、戸体１１が完全に開放された状態、「半開状態」とは、戸体１１が開放された状態であって、かつ、戸体移動装置が作動していない状態（作動開始の瞬間を含む）を示す。
【００３１】
また、以下における方向の表現は、特記したものを除いて、図１（Ｂ）及び図２（Ａ）に示した正面視における位置関係に基づくものである。具体的には、図１（Ｂ）及び図２（Ａ）に示した状態のアーム２１における中間部２１ｙの長手方向を左右方向とし、アーム２１の回動軸２１ａの延びる方向を前後方向とし、上記中間部２１ｙの長手方向及び回動軸２１ａの延びる方向のいずれもに直交する方向を上下方向とする。下記において説明する折戸の場合の方向の表現もこれに準じている。なお本説明における方向の表現は、理解を容易にするためのものであり、これによって、本願発明が制限して理解されるべきではない。
【００３２】
本例の戸体移動装置２は、図１〜図３に示すような構造であり、アーム２１、付勢手段２３、ダンパー２４、一時固定手段２５を有する。そのうち、アーム２１、付勢手段２３、ダンパー２４の各々は、ケーシング２２にまとめて設けられており、これらが装置本体２ａを構成する。この装置本体２ａは戸枠１１に設けられる。本例では図２に示すように、戸枠１１の上端面１１ｂから下方に埋め込まれたものとされており、アーム２１の一部のみが戸体１１から突出するものとされている。戸体１１の表面１１ａには、図２に示すように、アーム２１を突出させるための切欠部１１ａ１が設けられている。そして、一時固定手段２５は戸枠１２に設けられている。
【００３３】
本例のケーシング２２は、左右及び前後方向の寸法よりも、上下方向の寸法の方が大きく形成された縦長筒状体とされており、戸体１１への取り付けの自由度が高められている。特に、図２に示すように、左右方向が戸体１１の厚み寸法よりも小さいものとされており、開き戸に用いられる戸体１１にも無理なく装置本体２ａを埋め込むことができる。
【００３４】
なお、引戸に用いられる戸体１１に適用する場合にあっては、ケーシング２２の左右方向の寸法が戸体１１の寸法によっては制限されないため、本例のような縦長形状に限られるものではなく、上下方向の寸法に比べて、左右方向の寸法が同一あるいは大きく形成された形態としても良い。
【００３５】
アーム２１は、対向する２枚の板状体が重ね合わされたものとされており、先端側がケーシング２２から突出するようにして、基端側（図示下端側）に設けられた回動軸２１ａを介し、ケーシング２２に取り付けられている。このアーム２１は、回動軸２１ａを中心に所定範囲内において回動可能となっている。本例では、このアーム２１の回動範囲の一端側が待機位置Ｗ（図２（Ａ）に示した状態）、他端側が停止位置Ｓ（図２（Ｃ）に示した状態）となり、それぞれが戸体１１の半開状態と閉鎖状態とに対応している。言い換えると、回動軸２１ａを基準として、アーム２１の先端側が図示左方にある場合が待機位置Ｗ、同上方にある場合が停止位置Ｓとなる。なお、本例とは逆に、戸体１１を全開させるために戸体移動装置を用いる場合は、待機位置Ｗが戸体１１の半開状態に対応し、停止位置Ｓが戸体１１の全開状態に対応する。
【００３６】
図２（Ａ）に示すように、アーム２１が待機位置Ｗにある場合は、アーム２１の上端位置が戸体１１の上端面１１ｂよりも下方に存在し、図２（Ｃ）に示すように、アーム２１が停止位置Ｓにある場合は、アーム２１の先端部分（固定部２１ｂ）が戸体１１の上端面１１ｂよりも上方に突出する。ここで、アーム２１が上記の待機位置Ｗにある場合、一時固定手段２５の第２当接部２５２、または、戸枠１２の下端面（内周端面）である設置面１２ｂのいずれかに当接しない限りにおいて、戸体１１の上端面１１ｂよりも上方に存在していても良い。よって本例では、戸体１１が半開状態から閉鎖状態となるように移動する際に、アーム２１の固定部２１ｂを他の部分に当接させることなく、直接、一時固定手段２５の第１当接部２５１に当接（衝突）させることができる。そのため、アーム２１の固定部２１ｂを一時固定手段２５のアーム固定溝２５ｃに導くための導入斜面などを一時固定手段２５に設ける必要はない。なお、図１４及び図１５に示すように導入斜面２５ｄを設けてもかまわない。
【００３７】
アーム２１の先端側には、アーム２１を構成している対向する２枚の板状体に挟まれるようにして、円筒状あるいは太鼓状とされた固定部２１ｂが形成されており、この固定部２１ｂが、図３及び図４に示すように、戸枠１２に設けられた一時固定手段２５、具体的には一時固定手段２５におけるアーム固定溝２５ｃに保持されることによって、戸体１１を自動的に閉鎖することができる。
【００３８】
なお、本例の固定部２１ｂは、軸部２１ｂ１と、軸部２１ｂ１の外側に配位され、この軸部２１ｂ１に対して回動可能とされたローラー部２１ｂ２とを有するものであって、後述するように固定部２１ｂが一時固定手段２５のアーム固定溝２５ｃに配位された際において、このローラー部２１ｂ２が一時固定手段２５の左方壁２５ａや右方壁２５ｂに対して回動できるため、小さな抵抗で固定部２１ｂを上下動させることができる。なお、本例においてはアーム２１の先端部が固定部２１ｂとされているが、アーム２１の中間などの先端部以外の箇所に固定部２１ｂを形成しても良い。
【００３９】
本例においては、付勢手段２３やダンパー２４の動作範囲の関係により、及び、装置本体２ａをコンパクトに形成することを目的として、アーム２１は単純な直棒状ではなく、図示したように湾曲した形状とされている。具体的には、図２（Ａ）に示した状態において、基端側（図示下端側）の比較的大きな部分である基端部２１ｘ、そして、基端部２１ｘの先端側で、図示左方に連続して設けられた中間部２１ｙ、そして、中間部２１ｙよりも先端側へと連続して設けられており、図示左上方へ延びる先端部２１ｚからなるものである。基端部２１ｘには、上記のように回動軸２１ａが設けられており、加えて、付勢手段取付部２１ｃを介して付勢手段２３が、ダンパー取付部２１ｅを介してダンパー２４がそれぞれ取り付けられている。また、先端部２１ｚには上記の固定部２１ｂが設けられる。なお、アーム２１の形状は本例のものに限定されず、戸体１１に対する取り付け状況や、自動移動動作の範囲など、戸体移動装置の設計に応じた種々の形態での実施が可能である。
【００４０】
ここで、付勢手段２３は、アーム２１を回動軸２１ａを中心として待機位置Ｗから停止位置Ｓへ向かい回動するように付勢するものである。本例においては、図１（Ａ）に示すように、ケーシング２２の外側に対向するように２本設けられたコイルばねとして実施されており、引張力による付勢がなされる。この付勢手段２３の一端（下端）側２３ａは、ケーシング２２に対して取り付けられており、他端（上端）側２３ｂは、アーム２１の付勢手段取付部２１ｃに取り付けられる。
【００４１】
本願発明においては、上記の付勢手段２３として、このように一般的なばねを用いることができるため、従来の「ダッシュポット」（特許文献１参照）のような専用品を用いる必要がない。そして、後述するダンパー２４についても汎用品が利用できるため、これにより簡易な構造の装置本体２ａとすることができ、装置の製造コスト低減に貢献できる。
【００４２】
付勢手段２３は本例のようなコイルばねに限られず、例えば、回動軸２１ａに取り付けて用いる渦巻ばねなどの他の種類のばねや、ゴムなどの弾性を有する樹脂を用いても良く、また、アーム２１及びケーシング２２に対して取り付ける場所も限定されるものではない。また、本例とは逆に圧縮力を利用してアーム２１を付勢するものとしても良い。
【００４３】
また、付勢手段２３の一端側に位置調整手段２８を設けることにより、付勢手段２３の有する引張力や圧縮力を可変としても良い。例えば、図１０に示すように、コイルばね２３の下端２３ａが取り付けられた可動軸２８ａを調整ねじ２８ｂにより移動可能としておき、これにより、ケーシング２２に対するコイルばね２３の変位を調整可能とする。こうすることによってアーム２１の移動速度を調整でき、これに応じて戸体１１の閉鎖速度を調整することができる。
【００４４】
上記付勢手段２３のアーム２１への接続は、アーム２１に設けられた付勢手段取付部２１ｃに、付勢手段２３の上端２３ｂが取り付けられることによりなされる。ここで、付勢手段２３の中心を示す仮想軸２３ｘは、アーム２１が待機位置Ｗにある際には、図２（Ａ）に示すように、アーム２１の回動軸２１ａに対してほとんど一致しており（厳密にはわずかに左方に存在する）、アーム２１が停止位置Ｓへと移動する際に、アーム２１の回動軸２１ａを中心として回動しつつ右方へと移動し、図２（Ｂ）に示す状態を経て図２（Ｃ）に示す状態へと至る。なお、付勢手段２３がアーム２１を待機位置Ｗから停止位置Ｓへと付勢するのは、上記仮想軸２３ｘがアーム２１の回動軸２１ａにおける中心よりも右方に移動した後となる。
【００４５】
ダンパー２４は、付勢手段２３の付勢によりアーム２１が待機位置Ｗから停止位置Ｓへ向かって回動する際に、アーム２１の回動動作を減速させるための緩衝手段である。本例においては、ダンパー２４として直動式のダンパーが用いられており、アーム２１における、上記の付勢手段取付部２１ｃよりも先端側に位置するダンパー取付部２１ｅに、ダンパー２４に設けられた可動棒２４ａの先端が接続されており、これによってアーム２１とダンパー２４との間で力の伝達がなされる。なお、本例におけるダンパー取付部２１ｅは、回動軸２１ａから比較的近い位置であって、回動軸２１ａから遠い位置に設けた場合よりもダンパー取付部２１ｅの移動距離を比較的小さくできるため、動作範囲（可動棒２４ａの移動範囲）の小さなダンパー２４を利用することができ、装置のコンパクト化に貢献できている。
【００４６】
詳しくは後述するが、アーム２１の固定部２１ｂが、図３及び図４に示すように、戸枠１２に設けられた一時固定手段２５のアーム固定溝２５ｃに保持された状態とされ、アーム２１が付勢手段２３に付勢されたことにより、アーム２１が待機位置Ｗから停止位置Ｓへ向かい回動する。これに伴い、装置本体２ａが取り付けられた戸体１１が、戸枠１２に対して移動することにより閉鎖される。そしてこの閉鎖動作中において、アーム２１の待機位置Ｗ（図示左方）から停止位置Ｓ（同上方）へ至るまでの回動動作がダンパー２４の緩衝作用によって減速されるため、戸体１１の移動も減速され、戸体１１の開口側端面１１ａが戸枠１２に設けられた、戸体１１を閉鎖状態から行き過ぎないようにするための部材である、戸当たり部材１２ａ（図３参照）に対して急に衝突してしまうこともなく、静かに、かつ確実に閉鎖動作を行うことができる。また、このダンパー２４の存在により、アーム１２が急激に移動することがないため、戸枠１２に対して戸体１１がバウンドしてしまうこともない。
【００４７】
ここで、アーム２１に対するダンパー２４の取り付け方は、本例のものに限られるものではない。例えば、可動棒２４ａが本例のようにアーム２１とは直接連結されておらず、アーム２１の一部に当接することで力の伝達がなされるようなものとしても良い。また、ギアやリンクなどを介してアーム２１に対して間接的に連結したものであっても良く、種々に変更して実施し得る。また、上記の付勢手段２３と同様に、このダンパー２４についても、緩衝能力をねじなどにより調整可能としておくことで、戸体１１の閉鎖速度を調整
可能としても良い。
【００４８】
本願発明において用いられるダンパー２４は、アーム２１に直接的あるいは間接的に連結され、アーム２１の動作を減速させるものであればよく、形態が限定されるものではない。例えば、ダンパー２４として円形のもの（回転ダンパー）を、回動軸２１ａが中心となるようにアーム２１に直接取り付けても良い。また、ダンパー２４は、アーム２１がいずれの方向に回動する場合でも緩衝作用を発揮するものであっても良いし、あるいは、ワンウェイクラッチが内蔵されたものとし、アーム２１が停止位置Ｓへと（上方に）移動する際においては減速がなされ、待機位置Ｗへと（左方に）移動する際においては減速されないものであっても良い。
【００４９】
アーム２１には係合部２６ａが設けられる。この係合部２６ａは、本例においては、アーム２１に設けられた凹部とされている。具体的には、アーム２１を構成する、対向して設けられた２枚の板状体に挟まれるように配位された、樹脂製の係合片２６に設けられた凹部である。なお、この係合部２６ａの形状は、後述するアーム位置保持手段（板ばね）２７の湾曲部２７ａの形状と一致するものとされている。また、本例の係合片２６は、上記の板状体とは別の部材が用いられているが、アーム２１と当初から一体にされたものや、アーム２１の一部が折り曲げられて形成されたものであっても良く、下記のアーム位置保持手段２７と係合し、アーム２１の位置を保持可能なものであれば、種々に変更して実施し得る。
【００５０】
上記の係合部２６ａに対応するものとして、ケーシング２２にはアーム位置保持手段２７が設けられている。このアーム位置保持手段２７は、図２（Ａ）に示すように、アーム２１が待機位置Ｗにある時に、アーム位置保持手段２７の一部である湾曲部２７ａがアーム２１の係合部２６ａに係合し、アーム２１の位置を待機位置Ｗのまま保持することができるものである。
【００５１】
このアーム位置保持手段２７は、建て付けの関係で戸体１１と戸枠１２の間が本例のものよりも離れて設けられた場合、戸体１１を開放した際に、アーム２１が停止位置Ｓから待機位置Ｗに戻り切らず、中途位置で止まる場合があるが（図９参照）、その際、押圧によりアーム２１を中途位置から待機位置Ｗへと回動させる作用も有する。
【００５２】
アーム位置保持手段２７は、本例では板ばね２７として実施されており、基端側（図示右端側）がケーシング２２に固定されている。この板ばね２７は、アーム２１に向かうように突出して形成された湾曲部２７ａを有する。本例における具体的な板ばね２７の形状は、図２（Ａ）に示すようにアーム２１が待機位置Ｗにある場合において、ケーシング２２の図示右方に対して固定された部分から図示左方へと延び、その先端側において、下方に突出するようにしてＶ字形に折り曲げられたものであり、この折り曲げられた部分が湾曲部２７ａとなる。そしてこの湾曲部２７ａは、図２（Ａ）に示すように、上記のアーム２１に形成された凹部である係合部２６ａと係合可能とされている。この湾曲部２７ａと係合部２６ａとの係合は、板ばね２７の係合部２６ａに対する付勢力が下方に作用することにより強固になされるため、アーム２１を待機位置Ｗで確実に保持することができ、また、上記のようにアーム２１が中途位置にある場合でも、アーム２１を確実に待機位置Ｗへと確実に戻すことができる。なお、この板ばね２７の付勢力は、後述の付勢手段２３の付勢力よりも小さくされており、アーム２１が待機位置Ｗから停止位置Ｓへ向かい回動する際の支障にならないようにされている。
【００５３】
なお本例では、図２（Ａ）に示すようにアーム２１が待機位置Ｗにある時、アーム２１の回動軸２１ａと付勢手段２３の中心を通る仮想軸２３ｘとがほとんど一致している。このため、この状態のアーム２１は、付勢手段２３によって付勢されていない中立状態にあって、アーム２１には板ばね２７の付勢力のみがかかっていると言える。よって上記板ばね２７の湾曲部２７ａとアーム２１の係合部２６ａとの係合は、戸体１１の移動に伴って、図３（Ａ）に示すように、アーム２１の固定部２１ｂが一時固定手段２５の左方壁２５ａに当接（衝突）するまでは、他の外力がかからない限りは外れにくい。
【００５４】
上記の位置保持部２６ａ及びアーム位置保持手段２７の形態は、アーム２１を待機位置Ｗに保持でき、かつ、アーム２１を上記の中途位置から待機位置Ｗの方向へと回動させるために押圧できるものであれば、本例のものに限定されるものではなく、種々に変更して実施し得る。例えば、ケーシング２２に対して回動可能に設けられた金具の先端に鈎爪を設けておき、この鈎爪でアーム２１を保持するものとしたり、凹部と突部の嵌合によるもの、摩擦によるもの、磁石を用いたものなどが挙げられる。
【００５５】
また、アーム位置保持手段２７は、本例の板ばねのように、アーム２１を押圧するものに限られず、コイルばねなどを用いることにより、アーム２１を引っ張るものであっても良い。また本例では、上記のようにアーム２１の位置を保持する作用と、アーム２１を上記の中途位置から待機位置Ｗへと戻す作用を一つの部材（板ばね２７）で兼ねるものとしているが、各作用を別々の部材が担当するものとしても良い。
【００５６】
一時固定手段２５は、本例においては戸枠１２に一部が埋め込まれた部品であり、アーム２１の固定部２１ｂを戸枠１２に対して一時的に固定し、戸体１１の移動方向について不動とするためのものである。具体的には、図３に示すように、戸枠１２の下端面である設置面１２ｂに設けられている。この設置面１２ｂは、戸体１１の上端面１１ｂよりも相対的に外側、本例では上側に存在する。
【００５７】
なお、例えば図１４に示すように、戸枠１２と一時固定手段２５とを一体としても良いし、一時固定手段２５が戸枠１２に埋め込み以外の手段で取り付けられたものであっても良い。
【００５８】
本例の一時固定手段２５は、図５（Ｃ）に示すように、ベース部２５ｆ、そして図示下方に突出する第１当接部２５１と第２当接部２５２とを備える。第１当接部２５１は、半開状態から閉鎖状態に至る戸体１１の移動方向を基準とした前方側（図示左方側）に位置し、第２当接部２５２は同後方側（図示右方側）に位置する。そして、第１当接部２５１の上記移動方向を基準とした後方側（図示右方側）の面である左方壁２５ａと、第２当接部２５２の同前方側（図示左方側）の面である右方壁２５ｂとに挟まれるようにして、下方に開口した空間を有するアーム固定溝２５ｃが形成されている。つまり、アーム固定溝２５ｃは、ベース部２５ｆから下方へと延びる左方壁２５ａと右方壁２５ｂとにより規定されたものであり、ベース部２５ｆ、左方壁２５ａ、右方壁２５ｂ、そして第２当接部２５２の下端の位置における、上記設置面１２ｂと平行な面の４つの要素に囲まれた部分であると定義できる。そして、図３（Ｂ）〜（Ｄ）及び図４（Ａ）〜（Ｃ）に示すように、このアーム固定溝２５ｃにおける空間には、アーム２１の固定部２１ｂが配位可能である。
【００５９】
本例の一時固定手段２５の戸枠１２への埋め込みは、図３に示すように、上記アーム固定溝２５ｃの少なくとも一部が、戸枠１２の設置面１２ｂよりも上側に設けられたものとされている。本例の場合、図３（Ａ）に示すように、一時固定手段２５の第２当接部２５２は、下端が設置面１２ｂと一致している。つまり、一時固定手段２５のすべてが設置面１２ｂよりも上側に設けられている。そして、第１当接部２５１の一部は上記設置面１２ｂの下方に突出している。このようにして、アーム固定溝２５ｃの全部が上記設置面１２ｂよりも上側に設けられたものとされている。
【００６０】
ここで、上記の一時固定手段２５は、図３に示すように、戸枠１２に設けられた戸当たり部材１２ａの下端よりも上側に配位されている。そしてアーム２１についても、図３（Ａ）に示す待機位置Ｗにおいて、戸体１１から突出した部分が戸当たり部材１２ａの下端よりも上側に配位されている。よって、戸体移動装置の大部分を戸当たり部材１２ａに隠れるようにでき、しかも閉鎖時には全く見えないようにできるため、特に一般家庭などの室内用開き戸に適用する場合などで、目立たないように装置を設置したいという要求にも十分に応えることができている。なお、建て付けの関係で、図７及び図８に示すように、戸体１１と戸枠１２の間が本例のものよりも離れて設けられた場合であっても、一時固定手段２５及びアーム２１が戸当たり部材１２ａの下端よりも上側に位置できるように、各部の位置関係には余裕を有するものとされている。
【００６１】
ここで本例のように、開き戸である戸体１１の上部に装置本体２ａが設けられたものにあっては、底面図である図６において矢印で示したように戸体１１が移動するため、アーム２１の固定部２１ｂもまた、底面視において円弧状の軌跡を描くこととなる。そして固定部２１ｂは円筒状のものであるため、図示のように、固定部２１ｂの側面（外周面）が左方壁２５ａに対して角度を持って当接することとなる。よって、一時固定手段２５の左方壁２５ａが平坦な面とされていた場合、固定部２１ｂや左方壁２５ａが片減りするなどの問題が発生する恐れがある。そこで、本例の一時固定手段２５においては、図５（Ｂ）（Ｃ）に示すように、左方壁２５ａの内面の一部に傾斜面２５ａ１が形成されたことにより上記の問題を解決している。この傾斜面２５ａ１は、閉鎖状態あるいは全開状態における戸体１１の表面１１ａに対して角度を有する面とされている。本例では、図６に示すように、自動移動動作が開始する際の開度における戸体１１の表面１１ａに対して略平行な面とされている。これはつまり、固定部２１ｂの側面（外周面）が左方壁２５ａに対して当接する際にぴったりと当接する面ということである。
【００６２】
本例においては、左方壁２５ａのうち、図５（Ｅ）に示す上側の傾斜よりも、図５（Ｄ）に示す下側の傾斜の方が大きいものであり、下方に向かうにつれ急傾斜の面が形成されている。これは、固定部２１ｂが左方壁２５ａに当接した際には戸体１１の開度が大きいことにより、固定部２１ｂの側面（外周面）と左方壁２５ａとの間の角度が大きく、アーム２１が待機位置Ｗから停止位置Ｓへと回動するにつれて、固定部２１ｂが左方壁２５ａに当接しつつ、アーム固定溝２５ｃ内を上方へ移動し、これに伴い戸体１１の開度が小さくなり、固定部２１ｂの側面（外周面）と左方壁２５ａとの間の角度も小さくなることに対応しているからである。
【００６３】
なお、本例の傾斜面２５ａ１は、図５（Ｂ）（Ｄ）に示すように、一方向にのみ傾斜した面とされているが、これに限らず、両方向に傾斜した面であっても良い。また、本例の傾斜面２５ａ１は、図５（Ａ）（Ｂ）に示すように上下方向にのみ湾曲した面とされているが、水平方向にも湾曲した面であっても良い。
【００６４】
次に、本例においては、装置本体２ａが化粧カバー３と共に戸体１１に取り付けられたものとされており、装置本体２ａの上部が化粧カバー３に覆われる。この化粧カバー３は図１１に示されたものであり、待機位置Ｗと停止位置Ｓとの間において回動するアーム２１と干渉しないように適宜切欠３１が設けられたものである。このように化粧カバー３を取り付けることにより、戸体１１から露出したアーム２１以外の部分を隠すことができ、特に一般家庭用など、美観を要求される用途に十分応じることができる。また、このように化粧カバー３を使用することにより、装置本体２ａの内部へのほこりの侵入も最小限にとどめることができ、長期の使用に伴う動作不良などのトラブルが発生する可能性を抑えることができる。
【００６５】
次に、戸体１１の開閉動作に伴う戸体移動装置２の自動移動動作について、図２〜図４と共に述べる。図３及び図４に示したものは、戸体１１が半開状態から閉鎖状態へと自動的に移動していく際のアーム２１の動作を順に示している。
【００６６】
戸体１１が半開状態から閉鎖状態となるように移動させられるに伴い、アーム２１は、図３（Ａ）に示すように、固定部２１ｂが一時固定手段２５の左方壁２５ａに衝突する。そして、装置本体２ａが設けられた戸体１１はさらに閉鎖状態となるように移動し続けるが（図示左向き）、アーム２１の固定部２１ｂは、上記の左方壁２５ａに邪魔されて、それ以上図示左方へは移動できないため、板ばね２７とアーム２１の係合部２６ａとの係合が外れ、アーム２１が停止位置Ｓの側（図示上向き）への回動を開始する。これに伴い、図２（Ｂ）に示すように、アーム２１の回動軸２１ａよりも付勢手段２３の中心を通る仮想軸２３ｘが右方に移動すると、付勢手段２３の付勢力がアーム２１に働き、アーム２１が待機位置Ｗから停止位置Ｓへ向かい自動的に回動し始める。このアーム２１の回動の際、固定部２１ｂは、一時固定手段２５のアーム固定溝２５ｃに保持された状態、具体的には、左方壁２５ａと右方壁２５ｂとに挟まれた状態で固定部２１ｂが右方壁２５ｂに当接することにより、固定部２１ｂが戸体１１の移動方向について不動とするように保持された状態となり、図３（Ｂ）に示す状態から図４（Ｃ）に示す状態へとアーム２１が順次回動していく。つまり、この右方壁２５ｂは、アーム２１の固定部２１ｂを支持するための支点部として機能すると理解できる。なお、この際において板ばね２７（図３及び図４では図示省略）は、図２（Ｂ）に示すように、アーム２１の係合片２６に押されて上方にはね上がり、停止位置Ｓまで至ると係合片２６から外れて元の位置に戻るという動作をする。なお、上記のように板ばね２７の付勢力は付勢手段２３の付勢力よりも小さく設定されているため、上記アーム２１の回動の支障にはならない。
【００６７】
このようにして固定部２１ｂが保持された状態にあるアーム２１が回動しようとすることにより、付勢手段２３の付勢力が反力として戸体１１に働き、装置本体２ａが設けられた戸体１１が図示左方に順次移動して、最終的には、図４（Ｃ）に示すように戸体１１を閉鎖することができる。このアーム２１の回動は、付勢手段２３の付勢力及びダンパー２４の緩衝作用を受けつつ、停止位置Ｓまで自動的になされるため、戸体１１を閉鎖するために加えられた外力が弱い場合であっても、アーム２１を確実に停止位置Ｓまで回動させて、戸体１１を完全に閉鎖することができる。なお、この図４（Ｃ）に示す状態にて、一時固定手段２５において戸枠１２の設置面１２ｂから下方に突出していた部分（第１当接部２５１の一部）は、戸体１１の切欠部１１ａ１に嵌まり込むこととなる。
【００６８】
このようにして戸体１１が完全に閉鎖された際には、アーム２１のうち戸体１１から突出した部分が、一時固定手段２５の下端よりも上方に位置することとなる。そして上記のように、一時固定手段２５は戸枠１２に設けられた戸当たり部材１２ａよりも上方に配位されているため、戸体１１の閉鎖時においては戸体移動装置が外部から全く見えないものとできる。
【００６９】
一方、戸体１１を開放する際には、戸体１１が閉鎖状態から半開状態に至るまでは、上記と同様にして、一時固定手段２５がアーム２１の固定部２１ｂを保持したままの状態を維持する。そのため、固定部２１ｂが一時固定手段２５の右方壁２５ｂに当接した状態で、戸体１１の開放方向への移動に伴ってアーム２１が停止位置Ｓ（図示上向き）から待機位置Ｗ（図示左向き）へと回動する（図４（Ｃ）→同（Ａ）→図３（Ｄ）→同（Ａ））。ここで、板ばね２７とアーム２１の係合部２６ａとが係合し、アーム２１が図２（Ａ）に示した当初の状態で固定される。なお、この状態では、上記でも説明したように、アーム２１の回動軸２１ａと付勢手段２３の中心を通る仮想軸２３ｘとがほぼ一致しているため、アーム２１は付勢手段２３によって付勢されていない中立状態にあって、この板ばね２７とアーム２１の係合部２６ａとの係合だけで、アーム２１が元に戻ってしまうことを防止できる。そしてアーム２１は、この待機位置Ｗまで戻された状態で、固定部２１ｂが第２当接部２５２の図示下方を通過して一時固定手段２５の図示右方に移動し、戸体１１が自由状態となって開放される（半開状態）。
【００７０】
なお、上記と同じように図７及び図８に順を追って示したように、建て付けの関係で戸体１１と戸枠１２とが上記の場合（図３及び図４に示した状態）よりも離れて設けられた場合にあっては、第２当接部２５２の下方を通過した後であっても、図９に示すように、アーム２１が待機位置Ｗまで完全に戻らず、中途位置に残る場合がある。この場合でも、その中途位置における付勢手段２３の付勢力よりも板ばね２７のアーム２１に対する付勢力が勝るように設定しておけば、板ばね２７の付勢力によりアーム２１を待機位置Ｗまで戻すことができる。このように、本願発明に係る戸体移動装置は、実際の建築現場における多様な状況に柔軟に対応することができる。
【００７１】
本願発明は、上記に示した形態に限られず、種々に変更して実施が可能である。
まず、戸体１１の閉鎖状態あるいは開放状態については、場合により種々に変更して設定が可能である。例えば、換気のためや、犬猫などのペットが通過可能とするため、閉鎖時においても全閉状態となるようにせず、所定の隙間を保ったまま閉鎖されるように設定しても良い。
【００７２】
また、１枚の戸体１１に２つの戸体移動装置が用いられたものとしても良い。この場合、一方の戸体移動装置は、戸体１１が閉鎖しようとする際に作動するものとし、他方の戸体移動装置は、上記一方の戸体移動装置と同一の構造を有するものであって、戸体１１が所定の開放状態から全開状態となるまでの間を自動開放可能とできる。つまりこの場合には、戸体１１の一方側の表面から、閉鎖動作を担当するためのアーム２１が突出し、他方側の表面から、開放動作を担当するためのアーム２１が突出したものとなる。そして、一時固定手段２５のうち閉鎖動作を担当するものは戸枠１２に取り付けられ、開放動作を担当するものは、戸体１１の全開状態において対応する位置にある建具に取り付けられる。
【００７３】
また上記においては、装置本体２ａの長手方向を垂直方向に配位した場合を示したが、装置本体２ａの長手方向を水平方向に配位し、横倒しで使用しても良い。この場合における位置関係は、上記の説明における上方向が外側方向に対応し、上記の説明における下方向が内側方向に対応する。
【００７４】
このように装置本体２ａを横倒しに設けた場合にあっては、上記に説明したように一時固定手段２５にアーム２１の固定部２１ｂが当接する際でも、図６に示すように角度を持って当接するということがないため、一時固定手段２５の左方壁２５ａに傾斜面２５ａ１を形成する必要がないという利点を有する。つまり、上記のように戸体移動装置を戸体１１及び戸枠１２の上部に設けたものに限らず、開き戸にあってはいずれの部分にも設けることが可能であって、種々の場面で最も適したレイアウトを選択できる。
【００７５】
上記の一例として、図１２に示すように、戸体１１のヒンジ４の設けられた側における側端面１１ｂからアーム２１が突出したものとすることがあげられる。この場合、装置本体２ａは、アーム２１の形状が異なるものの、基本的な構成は上記の実施例と同様であって、アーム２１が図示したように待機位置Ｗから停止位置Ｓまで水平面内を回動するように、戸体１１に埋め込まれる。一時固定手段２５については上記の実施例とは異なり、戸体１１の閉鎖動作の支障にならないように、戸枠１２の設置面１２ｂより外側に全体が埋め込まれている。つまり、アーム固定溝２５ｃの全部が、設置面１２ｂよりも外側に設けられたものとされている。
【００７６】
そしてアーム２１の固定部２１ｂは、戸体１１が閉鎖方向へ移動するに伴って、ヒンジ４を中心とした円弧状の軌跡を描いて移動する。この固定部２１ｂが一時固定手段２５における図示下側の面２５ａ、具体的には当該面２５ａに形成された段差２５ａ２に衝突することで、上記実施例と同様、アーム２１が停止位置Ｓの側（図示上向き）への回動を開始する。そして上記の例と同様、付勢手段２３（図示していない）の付勢により固定部２１ｂが図示上側の面２５ｂに当接し、固定部２１ｂが回動方向（図示上下方向）について不動とするように保持された状態となる。この状態でアーム２１が付勢手段２３によって付勢されたことにより、この付勢手段２３の付勢力が反力として戸体１１に働き、装置本体２ａが設けられた戸体１１がヒンジ４を中心に回動して戸体１１を閉鎖することができる。このように戸体１１の側端面１１ｂから装置本体２ａを埋め込むように設けた場合には、上記の実施例と同様、閉鎖時において戸体移動装置が外部から全く見えないようにできることに加え、戸体１１の開放時においても戸体移動装置を目立たないようにできるという利点を有する。
【００７７】
上記においては、戸体移動装置を開き戸に適用した例について説明したが、本願発明はこれに限定されたものではなく、戸枠１２に対して戸体１１が水平方向（左右方向）にスライドするタイプである引戸に適用しても良い。上記に説明したように、本願発明に係る戸体移動装置は、装置本体２ａがスリム化されたものであるため、引戸に適用した場合であっても、戸体１１及び戸枠１２への取り付けが従来の同種の装置よりも容易にできるという利点を有する。
【００７８】
また、戸体移動装置を折戸に適用しても良い。この場合の一例として、自動閉鎖するようにした折戸について以下説明する。なお、上記の開き戸に適用した例と機能上重複する部分については、必要な場合を除き説明していない。また、図中の記号についても、開き戸に適用した例と機能上重複する部分の記号は同一としている。
【００７９】
この場合における折戸とは、戸体１１が、折戸ヒンジ１１２により回動可能に接続された偶数枚の折戸体１１１ａ〜１１１ａが左右方向に並列して構成されたものである。図１３に示した例では、折戸体１１１ａが２枚からなっているが、それよりも多数の折戸体１１１ａ〜１１１ａからなるものであっても良い。
【００８０】
そして、２枚の上記折戸体１１１ａ，１１１ａから開閉単位体１１１が構成されている。開閉単位体１１１の左右両端部１１１ｂには戸枠支持部１１３が設けられている。この戸枠支持部１１３は、例えば戸枠１２に設けられたレール部１２１を走る車輪（図示しない）を備えており、これにより、左右両端部１１１ｂのうち少なくとも一方（この例では左端部）が、戸体１１の開閉動作の際に、戸枠１２に沿って左右方向へと移動自在とされている（図示矢印参照）。
【００８１】
一方、上記開閉単位体１１１中の２枚の折戸体１１１ａ，１１１ａを接続する折戸ヒンジ１１２は、戸体１１の開閉動作の際に、少なくとも戸枠１２の延びる方向に直交する方向（図１３上の上下方向）へと移動する（図示矢印参照）。このようにして、上記開閉単位体１１１中の２枚の折戸体１１１ａ，１１１ａが、戸体１１が閉鎖される際には左右方向に広げられ、開放される際には折戸ヒンジ１１２を境として折り重ねられる。なお、図１３は閉鎖状態と開放状態の中間を示したものである。
【００８２】
装置本体２ａは、戸体１１中の少なくとも１枚の折戸体１１１ａに設けられている。この例では、図１４及び図１５に示すように、折戸体１１１ａの上部に設けられているが、下部など他の部分に設けられたものであっても良い。
【００８３】
一方、この例では、図１４に示すように、一時固定手段２５が戸枠１２に対し一体に設けられている。なお、一時固定手段２５は戸枠１２の前方（図示左方）側に設けられている。この例では戸枠１２が押出成型によって形成されており、一時固定手段２５の左右方向寸法は、必然的に戸枠１２の左右方向寸法と一致している。ただし、一時固定手段２５のうち、自動閉鎖のために必要なのは、アーム２１の固定部２１ｂが左右方向に移動する範囲に対応する部分のみである。よって機能上は、少なくともこの部分に一時固定手段２５の第１当接部２５１及び第２当接部２５２が設けられていれば良い。
【００８４】
この例では、図１４に示すように、一時固定手段２５の第２当接部２５２の内側端部２５２ａが戸枠１２の内周端面１２ｂよりも内側寄り（下方）に存在している。そして、この内側端部２５２ａと設置面１２ｂとの間、より詳しくは、レール部１２１の開口部分１２１ａよりも前方側に導入斜面２５ｄが設けられている。この導入斜面２５ｄは、図１４（Ａ）から（Ｂ）に至るようにして、アーム２１の固定部２１ｂを当接させつつアーム固定溝２５ｃへ導くものである。なお、この導入斜面２５ｄは戸枠１２と戸体１１の位置ずれに伴う、一時固定手段２５とアーム２１の固定部２１ｂの内外方向のずれを吸収することを目的として設けられるものであって、本願発明において必須のものではない。
【００８５】
次に、この例の折戸における自動閉鎖動作について説明する。基本的には、上記で説明した開き戸の場合と同じであるため、簡潔に説明する。
【００８６】
戸体１１が半開状態から閉鎖状態となるように移動させられるに伴い、まず、図１４（Ａ）に示すように、アーム２１の固定部２１ｂは導入斜面２５ｄに当接する。そして、固定部２１ｂは導入斜面２５ｄに沿って移動し、図１４（Ｂ）に示すように、アーム固定溝２５ｃの下方端へと導かれる。その後、固定部２１ｂは一時固定手段２５の左方壁２５ａに衝突し、アーム２１が停止位置Ｓの側（図示上向き）への回動を開始する。そして、付勢手段２３（図示しない）の付勢力がアーム２１に働き、アーム２１が待機位置Ｗから停止位置Ｓへ向かい自動的に回動していく。この際、アーム２１の固定部２１ｂは、一時固定手段２５のアーム固定溝２５ｃに保持された状態となり、図１４（Ｃ）に示す状態から図１５（Ａ）に示す状態へとアーム２１が順次回動していく。これに伴い、付勢手段２３の付勢力が反力として戸体１１（折戸体１１１ａ）に働き、装置本体２ａが設けられた戸体１１が前方（図示左方）に順次移動して、最終的には、図１５（Ｂ）に示すように戸体１１を閉鎖することができる。
【００８７】
一方、戸体１１を開放する際には、戸体１１が閉鎖状態から半開状態に至るまでは、上記と同様にして、一時固定手段２５がアーム２１の固定部２１ｂを保持したままの状態を維持する。そのため、固定部２１ｂが一時固定手段２５の右方壁２５ｂに当接した状態で、戸体１１の開放方向への移動に伴ってアーム２１が停止位置Ｓ（図示上向き）から待機位置Ｗ（図示左向き）へと回動する（図１５（Ｂ）→同（Ａ）→図１４（Ｃ）→同（Ｂ））。そしてアーム２１は、この待機位置Ｗまで戻された状態で、固定部２１ｂが第２当接部２５２の図示下方を通過して一時固定手段２５の右方に移動し、戸体１１が自由状態となる（半開状態）。この移動の際、アーム２１がアーム位置保持手段２７の付勢により、図１４（Ａ）に示した状態に戻される。
【図面の簡単な説明】
【００８８】
【図１】本願発明の一実施例に係る戸体移動装置の装置本体の外観を示す図であり、（Ａ）は正面図、（Ｂ）は右側面図である。
【図２】本願発明の一実施例に係る装置本体の内部構造及び動作を示す図であり、（Ａ）はアームが待機位置にある状態を示し、（Ｃ）はアームが停止位置にある状態を示し、（Ｂ）は中間の状態を示す。
【図３】（Ａ）〜（Ｄ）とも、本願発明の一実施例に係る戸体移動装置を開き戸に取り付けた場合の自動閉鎖動作を順を追って示した概略図である。
【図４】（Ａ）〜（Ｃ）とも、本願発明の一実施例に係る戸体移動装置を開き戸に取り付けた場合の自動閉鎖動作を順を追って示した概略図である。
【図５】本願発明の一実施例に係る一時固定手段を示し、（Ａ）は右側面図、（Ｂ）は底面図、（Ｃ）は（Ｂ）のＡ−Ａ断面図、（Ｄ）は（Ａ）のＢ−Ｂ端面図、（Ｅ）は（Ａ）のＣ−Ｃ端面図である。
【図６】本願発明の一実施例に係る戸体移動装置を取り付けた開き戸の戸体と戸枠との関係を示す底面視における概略図である。
【図７】（Ａ）〜（Ｄ）とも、開き戸の戸体と戸枠との間が離れている場合における戸体移動装置の自動閉鎖動作を順を追って示した概略図である。
【図８】（Ａ）〜（Ｃ）とも、開き戸の戸体と戸枠との間が離れている場合における戸体移動装置の自動閉鎖動作を順を追って示した概略図である。
【図９】開き戸の戸体と戸枠との間が離れている場合における戸体移動装置のアームの様子を示した概略図である。
【図１０】本願発明の他の実施例を示す要部拡大図である。
【図１１】本願発明の一実施例に係る戸体移動装置に用いられる化粧カバーを示し、（Ａ）は平面図、（Ｂ）は正面図、（Ｃ）は右側面図である。
【図１２】本願発明の一実施例に係る戸体移動装置を横倒しに設けた場合を示す横断面図である。
【図１３】本願発明の一実施例に係る戸体移動装置を折戸に取り付けた場合を示す、平面視の概略図である。
【図１４】（Ａ）〜（Ｃ）とも、本願発明の一実施例に係る戸体移動装置を折戸に取り付けた場合の自動閉鎖動作を順を追って示した概略図である。
【図１５】（Ａ）（Ｂ）とも、本願発明の一実施例に係る戸体移動装置を折戸に取り付けた場合の自動閉鎖動作を順を追って示した概略図である。
【符号の説明】
【００８９】
１１      戸体
１１ａ    戸体の表面
１１ｂ    戸体の外周端面（上端面）
１１１    開閉単位体
１１１ａ  折戸体
１１１ｂ  折戸体の左右両端部
１１２    折戸ヒンジ
１２      戸枠
１２ｂ    戸体の内周端面（下端面）、設置面
２ａ      装置本体
２１      アーム
２１ａ    回動軸
２１ｂ    固定部
２３      付勢手段
２４      緩衝手段、ダンパー
２５      一時固定手段
２５１    一時固定手段の第１当接部
２５２    一時固定手段の第２当接部
２５２ａ  一時固定手段の第２当接部の内側端部
２５ａ    第１当接部の後方側側面、左方壁
２５ａ１  傾斜面
２５ｃ    アーム固定溝
２７      アーム位置保持手段
Ｓ        アームの停止位置
Ｗ        アームの待機位置
【図１】
2007285117.tif 000003
【図２】
2007285117.tif 000004
【図３】
2007285117.tif 000005
【図４】
2007285117.tif 000006
【図５】
2007285117.tif 000007
【図６】
2007285117.tif 000008
【図７】
2007285117.tif 000009
【図８】
2007285117.tif 000010
【図９】
2007285117.tif 000011
【図１０】
2007285117.tif 000012
【図１１】
2007285117.tif 000013
【図１２】
2007285117.tif 000014
【図１３】
2007285117.tif 000015
【図１４】
2007285117.tif 000016
【図１５】
2007285117.tif 000017